(57)【要約】    【課題】  無権利者によるコンテンツの再生を制限しつつ、権利者によるコンテンツ再生の自由度を高くすることのできるコンテンツ提供システムを提供する。    【解決手段】  携帯再生装置４と再生装置６とが近距離通信部５６、７２によって通信を確立すると、携帯再生装置４の権利状況送信手段４８は、権利記録部５０に記録されている権利データに基づく権利状況データを再生装置６に送信する。再生装置６の再生指示取得手段６６は、再生装置用コンテンツについてのユーザからの再生指示を受け取る。権利認証手段６８は、携帯再生装置４から送信されてきた権利状況データに基づいて、再生指示がなされたコンテンツの権利があるかどうかを判断する。権利があると判断すれば、再生手段７０によって、コンテンツ記録部６４に記録されている再生装置用コンテンツを再生する。権利がないと判断すれば、再生を許可しない。【選択図】  図１
2011216099.tif 000002
【特許請求の範囲】
【請求項１】
権利証明装置と再生装置とを備えたコンテンツ提供システムにおいて、
前記権利証明装置は、
権利データを記録するための権利記録部にアクセスする手段と、
再生装置と近距離通信を行うための近距離通信部と、
を備え、
前記再生装置は、
再生装置用コンテンツを記録するためのコンテンツ記録部にアクセスする手段と、
権利証明装置と近距離通信を行うための近距離通信部と、
権利認証手段によって権利データの存在が確認された再生装置用コンテンツを再生する再生手段と、
を備え、
前記権利証明装置または前記再生装置のいずれかに、
前記近距離通信部によって前記権利証明装置と前記再生装置の間にて通信を行い、再生しようとする再生装置用コンテンツに対応する権利データが、前記権利証明装置に接続された権利記録部に記録されているか否かの権利判断をする権利認証手段を備えたこと
を特徴とするコンテンツ提供システム。
【請求項２】
再生装置とともにコンテンツ提供システムを構成する権利証明装置であって、
再生装置と近距離通信を行うための近距離通信部と、
権利データを記録するための権利記録部にアクセスする手段と、
前記近距離通信部によって前記再生装置との間で通信を行い、前記再生装置において再生しようとする再生装置用コンテンツに対応する権利データが、前記権利証明装置に接続された権利記録部に記録されているか否かの権利判断をする権利認証手段と、
を備えたことを特徴とする権利証明装置。
【請求項３】
再生装置とともにコンテンツ提供システムを構成する権利証明装置をコンピュータによって実現するための権利証明プログラムであって、
権利データを記録するための権利記録部にアクセスする手段と、
前記近距離通信部によって前記再生装置との間で通信を行い、前記再生装置において再生しようとする再生装置用コンテンツに対応する権利データが、前記権利証明装置に接続された権利記録部に記録されているか否かの権利判断をする権利認証手段と、
をコンピュータによって実現するための権利証明プログラム。
【請求項４】
権利証明装置とともにコンテンツ提供システムを構成する再生装置であって、
権利証明装置と近距離通信を行うための近距離通信部と、
再生装置用コンテンツを記録するためのコンテンツ記録部にアクセスする手段と、
前記近距離通信部によって前記権利証明装置との間で通信を行い、再生しようとする再生装置用のコンテンツに対応する権利データが、前記権利証明装置に接続された権利記録部に記録されているか否かの権利判断をする権利認証手段と、
権利認証手段によって権利データの存在が確認された再生装置用コンテンツを再生する再生手段と、
を備えたことを特徴とする再生装置。
【請求項５】
権利証明装置とともにコンテンツ提供システムを構成する再生装置をコンピュータによって実現するための再生プログラムであって、
再生装置用コンテンツを記録するためのコンテンツ記録部にアクセスする手段と、
前記近距離通信部によって前記権利証明装置との間で通信を行い、再生しようとする再生装置用のコンテンツに対応する権利データが、前記権利証明装置に接続された権利記録部に記録されているか否かの権利判断をする権利認証手段と、
権利認証手段によって権利データの存在が確認された再生装置用コンテンツを再生する再生手段と、
をコンピュータによって実現するための再生プログラム。
【請求項６】
請求項４または５の装置またはプログラムにおいて、
前記権利証明装置は、近距離通信部によって、前記権利データに基づく権利状況を示すデータを再生装置に送信する権利状況送信手段をさらに備え、
前記再生装置の権利認証手段は、権利証明装置から受信した権利状況を示すデータに基づいて、前記権利判断を行うことを特徴とする装置またはプログラム。
【請求項７】
請求項１〜６のいずれかのシステム、装置またはプログラムにおいて、
前記権利記録部は、権利証明装置に接続可能な可搬性記録媒体であることを特徴とするシステム、装置またはプログラム。
【請求項８】
請求項７のシステム、装置またはプログラムにおいて、
前記権利記録部としての可搬性記録媒体には、再生装置用コンテンツを特定するための符号、および権利証明装置または権利証明装置を使用するユーザを特定するための符号を含む権利データが記録されることを特徴とするシステム、装置またはプログラム。
【請求項９】
請求項７のシステム、装置またはプログラムにおいて、
前記権利データは、再生装置用コンテンツを特定するための符号を含む権利データを、権利証明装置または権利証明装置を使用するユーザを特定するための符号によって暗号化した権利データが記録されることを特徴とするシステム、装置またはプログラム。
【請求項１０】
請求項９のシステム、装置またはプログラムにおいて、
前記権利認証手段は、前記再生装置と通信が確立している権利証明装置または当該権利証明装置を使用するユーザを特定するための符号を取得し、当該符号に基づいて、前記可搬性記録媒体から読み出した権利データを復号化し、再生しようとしているコンテンツに対応する正しい権利データが復元されるか否かを判断することを特徴とするシステム、装置またはプログラム。
【請求項１１】
請求項１〜６のいずれかのシステム、装置またはプログラムにおいて、
前記権利証明装置は、前記権利記録部を備えて構成されること特徴とするシステム、装置またはプログラム。
【請求項１２】
請求項１〜１１のいずれかのシステム、装置またはプログラムにおいて、
前記コンテンツ記録部は再生装置に接続可能な可搬性記録媒体であることを特徴とするシステム、装置またはプログラム。
【請求項１３】
請求項１〜１１のいずれかのシステム、装置またはプログラムにおいて、
再生装置は、コンテンツ記録部を備えて構成されることを特徴とするシステム、装置またはプログラム。
【請求項１４】
請求項１〜１３のいずれかのシステム、装置またはプログラムにおいて、
再生装置用コンテンツは、再生装置または再生装置に接続された機器と広域通信可能なサーバ装置から送信されたものであることを特徴とするシステム、装置またはプログラム。
【請求項１５】
請求項１〜１４のいずれかのシステム、装置またはプログラムにおいて、
権利証明装置は、近距離通信部によって、再生装置に対してコンテンツ再生指示を送信する再生指示手段をさらに備え、
再生装置は、近距離通信部によって、権利証明装置からの再生指示を受ける再生指示取得手段をさらに備え、
権利認証手段は、権利証明装置から再生指示がなされた再生装置用コンテンツについて権利証明装置が権利を有しているかを判断することを特徴とするシステム、装置またはプログラム。
【請求項１６】
請求項６〜１５のいずれかのシステム、装置またはプログラムにおいて、
権利証明装置は、近距離通信部によって、再生装置との間で通信開始処理を行う通信開始処理手段を有し、
権利状況送信手段は、通信開始処理手段による通信開始時に、権利データに基づく権利状況を示すデータを再生装置に送信し、
再生装置は、近距離通信部によって、権利状況を示すデータを受信し、一時記憶部に記憶するとともに、権利証明装置との間の通信終了によって当該権利状況データを消去する記憶制御手段を有することを特徴とするシステム、装置またはプログラム。
【請求項１７】
請求項６〜１６のいずれかのシステム、装置またはプログラムにおいて、
権利状況送信手段は、再生装置からの要求に応じて権利データに基づく権利状況を示すデータを、再生装置に送信することを特徴とするシステム、装置またはプログラム。
【請求項１８】
請求項１〜１７のいずれかのシステム、装置またはプログラムにおいて、
権利証明装置は、
権利発行装置と広域通信または近距離通信を行うための通信部と、
通信部によって、権利取得要求を権利発行装置に送信する要求手段と、
通信部によって、権利発行装置から権利データを受信する取得手段と、
をさらに備えていることを特徴とするシステム、装置またはプログラム。
【請求項１９】
請求項１〜１７のいずれかのシステム、装置またはプログラムにおいて、
権利証明装置は携帯再生装置であり、
前記携帯再生装置は、
サーバ装置と広域通信を行うための広域通信部と、
広域通信部によって、権利取得要求をサーバ装置に送信する要求手段と、
広域通信部によって、サーバ装置から権利データおよび携帯用コンテンツを受信する取得手段と、
取得手段によって取得した携帯用コンテンツを記録するコンテンツ記録部と、
コンテンツ記録部に記録されている携帯用コンテンツを再生する再生手段と、
近距離通信部によって、再生装置に対してコンテンツ再生指示を送信する再生指示手段と、
をさらに備えていることを特徴とするシステム、装置またはプログラム。
【請求項２０】
請求項１９のシステム、装置またはプログラムにおいて、
権利認証手段は、再生指示がなされた再生装置用コンテンツに対応する権利データがないと判断した場合には、近距離通信部によって携帯再生装置に権利不存在の旨を送信し、
携帯再生装置は、近距離通信部によって権利不存在の旨を権利認証手段から受けて、権利取得提案処理を開始する取得処理開始手段をさらに備えていることを特徴とするシステム、装置またはプログラム。
【請求項２１】
請求項１〜２０のいずれかのシステム、装置またはプログラムにおいて、
権利認証手段は、以下のA)またはB)によって再生の許可・不許可を行うことを特徴とするシステム、装置またはプログラム。
A)再生指示の対象である再生装置用コンテンツに対応する権利データがあると判断した場合には再生手段に再生許可信号を与えることによって再生を許可し、前記権利データがないと判断した場合には再生不許可信号を与えるか、再生許可信号を与えないことによって再生を許可しない。
B)再生指示の対象である再生装置用コンテンツに対応する権利データがあると判断した場合には再生手段に再生許可信号を与えるか、再生不許可信号を与えないことによって再生を許可し、前記権利データがないと判断した場合には再生不許可信号を与えることによって再生を許可しない。
【請求項２２】
請求項１〜２１のいずれかのシステム、装置またはプログラムにおいて、
前記権利データは、暗号化された再生装置用コンテンツを復号化するためのキーであり、
権利認証手段は、再生指示の対象である再生装置用コンテンツのキーが存在すれば、当該キーを再生手段に与えることによって復号化された再生装置用コンテンツの再生を許可し、再生指示の対象である再生装置用コンテンツのキーが存在しなければ、当該キーを再生手段に与えないことによって復号化された再生装置用コンテンツの再生を許可しないことを特徴とするシステム、装置またはプログラム。
【請求項２３】
請求項１〜２２のいずれかのシステム、装置またはプログラムにおいて、
権利証明装置は、非接触式ＩＣカード、携帯電話、ＰＤＡのいずれかであることを特徴とするシステム、装置またはプログラム。
【請求項２４】
請求項１〜２３のいずれかのシステム、装置またはプログラムにおいて、
再生装置は、ビデオ再生装置、ハードディスクレコーダ、ＤＶＤ再生装置、テレビ受信装置、ステレオ装置、携帯型音楽再生装置、パソコン、カーナビ、家庭用ゲーム機のいずれかであることを特徴とするシステム、装置またはプログラム。
【請求項２５】
請求項１〜２４のいずれかのシステム、装置またはプログラムにおいて、
前記再生装置は、再生装置本体と近距離通信装置とを備えており、
前記再生装置本体は、再生装置用コンテンツを記録するためのコンテンツ記録部にアクセスする手段と、権利認証手段によって権利データの存在が確認された再生装置用コンテンツを再生する再生手段とを備え、
前記近距離通信装置は、権利証明装置と近距離通信を行うための近距離通信部を備えたことを特徴とするシステム、装置またはプログラム。
【請求項２６】
請求項２５のシステム、装置またはプログラムにおいて、
前記再生装置本体は、近距離通信部によって権利証明装置と通信し、広域通信可能な権利証明装置を介して、サーバ装置から再生装置用コンテンツを取得することを特徴とするシステム、装置またはプログラム。
【請求項２７】
請求項１〜２６のいずれかのシステム、装置またはプログラムにおいて、
前記再生装置は、
近距離通信装置と、
各々が当該近距離通信装置に通信可能に接続された複数の再生機器とを備えて構成され、
前記近距離通信装置に近距離通信部および権利認証手段が設けられていることを特徴とするシステム、装置またはプログラム。
【請求項２８】
請求項１〜２７のいずれかのシステム、装置またはプログラムにおいて、
権利証明装置および再生装置の前記近距離通信部は、無線または有線通信を行うことを特徴とするシステム、装置またはプログラム。
【請求項２９】
請求項１〜２８のいずれかのシステム、装置またはプログラムにおいて、
前記再生装置は、再生装置用コンテンツ再生の中断指令を受けるとコンテンツの中断位置を権利証明装置に送信する手段を備え、
権利証明装置は、受信した中断位置を記録部に記録する手段を備えており、
権利証明装置は、再生装置用コンテンツの再生指令を再生装置に送信する際に、当該再生装置用コンテンツに対応して記録されている中断位置を併せて送信し、
再生装置は、再生指令と共に送られてくる中断位置から当該再生装置用コンテンツの再生を開始する手段を備えていること
を特徴とするシステム、装置またはプログラム。
【発明の詳細な説明】
【技術分野】
【０００１】
この発明は、コンテンツを提供するシステムに関し、特にその権利管理に関するものである。
【背景技術】
【０００２】
画像や音楽などのコンテンツを提供するに際して、その権利を管理するシステムとして特許文献１のような仕組みが提案されている。この仕組みでは、次のようにして権利を管理している。ユーザは、販売店において希望するコンテンツのカードを購入する。このカードにはコードが印刷されており、ユーザは携帯電話などから指定のサーバにアクセスし、コードを入力する。サーバでは、コンテンツとコードの対応関係を認証し、正しいコードであれば、ユーザの携帯電話にコンテンツをダウンロードする。以後、ユーザはダウンロードされたコンテンツを携帯電話にて再生することができる。
【先行技術文献】
【特許文献】
【０００３】
【特許文献１】特開２００４−１７１３７７
【発明の概要】
【発明が解決しようとする課題】
【０００４】
しかしながら、上記のような従来の技術には次のような問題があった。特許文献１に示される技術では、コンテンツの購入時にのみ権利の確認が行われるだけであり、購入後の不正コピーなどによる再生を管理することはできない。一方、自らがダウンロードしたコンテンツしか再生できず、同じコンテンツであっても他人の機器にダウンロードされたコンテンツは再生できないという制限があった。つまり、コンテンツの再生に制限があるにもかかわらず権利管理が十分ではなく、コンテンツの権利者、利用者の双方にとって、必ずしも好ましい仕組みであるとはいえなかった。
【０００５】
この発明は、上記のような問題点を解決して、無権利者によるコンテンツの再生を制限しつつ、権利者によるコンテンツ再生の自由度を高くすることのできるコンテンツ提供システムを提供することを目的とする。
【課題を解決するための手段】
【０００６】
(1)この発明に係る権利証明装置と再生装置とを備えたコンテンツ提供システムは、
前記権利証明装置は、権利データを記録するための権利記録部にアクセスする手段と、再生装置と近距離通信を行うための近距離通信部とを備え、
前記再生装置は、再生装置用コンテンツを記録するためのコンテンツ記録部にアクセスする手段と、権利証明装置と近距離通信を行うための近距離通信部と、権利認証手段によって権利データの存在が確認された再生装置用コンテンツを再生する再生手段とを備え、
前記権利証明装置または前記再生装置のいずれかに、前記近距離通信部によって前記権利証明装置と前記再生装置の間にて通信を行い、再生しようとする再生装置用コンテンツに対応する権利データが、前記権利証明装置に接続された権利記録部に記録されているか否かの権利判断をする権利認証手段を備えたことを特徴としている。
【０００７】
したがって、権利証明装置が再生装置の近傍にある場合にのみコンテンツの再生が許可される。よって、不正コピーによる再生を防止できるとともに、権利を保有する権利証明装置を有していれば、他の場所にある再生装置内のコンテンツについても再生を行うことができる。
【０００８】
(6)この発明に係るコンテンツ提供システムは、権利証明装置は、近距離通信部によって、前記権利データに基づく権利状況を示すデータを再生装置に送信する権利状況送信手段をさらに備え、前記再生装置の権利認証手段は、権利証明装置から受信した権利状況を示すデータに基づいて、前記権利判断を行うことを特徴としている。
【０００９】
(7)この発明に係るコンテンツ提供システムは、権利記録部は、権利証明装置に接続可能な可搬性記録媒体であることを特徴としている。
【００１０】
したがって、複数の権利記録部を用意することにより、より多くの権利データを記録することができる。
【００１１】
(8)この発明に係るコンテンツ提供システムは、権利記録部としての可搬性記録媒体には、再生装置用コンテンツを特定するための符号、および権利証明装置または権利証明装置を使用するユーザを特定するための符号を含む権利データが記録されることを特徴としている。
【００１２】
したがって、権利データの持ち運びを可能としつつ、不正使用を防止することができる。
【００１３】
(9)この発明に係るコンテンツ提供システムは、権利データは、再生装置用コンテンツを特定するための符号を含む権利データを、権利証明装置または権利証明装置を使用するユーザを特定するための符号によって暗号化した権利データが記録されることを特徴としている。
【００１４】
したがって、権利データの持ち運びを可能としつつ、不正使用を防止することができる。
【００１５】
(10)この発明に係るコンテンツ提供システムは、権利認証手段は、前記再生装置と通信が確立している権利証明装置または当該権利証明装置を使用するユーザを特定するための符号を取得し、当該符号に基づいて、前記可搬性記録媒体から読み出した権利データを復号化し、再生しようとしているコンテンツに対応する正しい権利データが復元されるか否かを判断することを特徴としている。
【００１６】
したがって、権利証明装置を有する正規のユーザのみが当該コンテンツを再生することができる。
【００１７】
(11)この発明に係るコンテンツ提供システムは、権利証明装置は、前記権利記録部を備えて構成されること特徴としている。
【００１８】
(12)この発明に係るコンテンツ提供システムは、コンテンツ記録部は再生装置に接続可能な可搬性記録媒体であることを特徴としている。
【００１９】
よって、当該可搬性記録媒体を介してコンテンツを取得することができる。
【００２０】
(13)この発明に係るコンテンツ提供システムは、再生装置は、コンテンツ記録部を備えて構成されることを特徴としている。
【００２１】
(14)この発明に係るコンテンツ提供システムは、再生装置用コンテンツは、再生装置または再生装置に接続された機器と広域通信可能なサーバ装置から送信されたものであることを特徴としている。
【００２２】
したがって、広域通信によってサーバ装置からコンテンツを取得することができる。
【００２３】
(15)この発明に係るコンテンツ提供システムは、権利証明装置は、近距離通信部によって、再生装置に対してコンテンツ再生指示を送信する再生指示手段をさらに備え、再生装置は、近距離通信部によって、権利証明装置からの再生指示を受ける再生指示取得手段をさらに備え、権利認証手段は、権利証明装置から再生指示がなされた再生装置用コンテンツについて権利証明装置が権利を有しているかを判断することを特徴としている。
【００２４】
したがって、権利証明装置の側から再生装置に対してコンテンツの再生指示を行うことができる。
【００２５】
(16)この発明に係るコンテンツ提供システムは、権利証明装置は、近距離通信部によって、再生装置との間で通信開始処理を行う通信開始処理手段を有し、
権利状況送信手段は、通信開始処理手段による通信開始時に、権利データに基づく権利状況を示すデータを再生装置に送信し、
再生装置は、近距離通信部によって、権利状況を示すデータを受信し、一時記憶部に記憶するとともに、権利証明装置との間の通信終了によって当該権利状況データを消去する記憶制御手段を有することを特徴としている。
【００２６】
したがって、権利証明装置の権利に基づくコンテンツの再生が終了した後は、権利状況を示すデータが削除され、不正にコンテンツが再生されるおそれがない。
【００２７】
(17)この発明に係るコンテンツ提供システムは、権利状況送信手段は、再生装置からの要求に応じて権利データに基づく権利状況を示すデータを、再生装置に送信することを特徴としている。
【００２８】
したがって、再生装置の側が主導権を持って、権利証明装置に対し権利状況データの送信を要求することができる。
【００２９】
(18)この発明に係るコンテンツ提供システムは、権利証明装置が、権利発行装置と広域通信または近距離通信を行うための通信部と、通信部によって、権利取得要求を権利発行装置に送信する要求手段と、通信部によって、権利発行装置から権利データを受信する取得手段とをさらに備えたことを特徴としている。
【００３０】
(19)この発明に係るコンテンツ提供システムは、権利証明装置は携帯再生装置であり、前記携帯再生装置は、サーバ装置と広域通信を行うための広域通信部と、広域通信部によって、権利取得要求をサーバ装置に送信する要求手段と、広域通信部によって、サーバ装置から権利データおよび携帯用コンテンツを受信する取得手段と、取得手段によって取得した携帯用コンテンツを記録するコンテンツ記録部と、コンテンツ記録部に記録されている携帯用コンテンツを再生する再生手段と、近距離通信部によって、再生装置に対してコンテンツ再生指示を送信する再生指示手段とをさらに備えていることを特徴としている。
【００３１】
したがって、携帯再生装置によって携帯用コンテンツを再生できるとともに、権利を保有する携帯再生装置が近傍に無ければ再生装置における再生装置用コンテンツの再生が許可されない。よって、不正コピーによる再生を防止できるとと
もに、権利を保有する携帯再生装置を有していれば、他の場所にある再生装置内
のコンテンツについても再生を行うことができる。
【００３２】
(20)この発明に係るコンテンツ提供システムは、権利認証手段は、再生指示がなされた再生装置用コンテンツに対応する権利データがないと判断した場合には、近距離通信部によって携帯再生装置に権利不存在の旨を送信し、携帯再生装置は、近距離通信部によって権利不存在の旨を権利認証手段から受けて、権利取得提案処理を開始する取得処理開始手段をさらに備えていることを特徴としている。
【００３３】
したがって、コンテンツは存在するものの再生する権利がない場合には、その取得を促すことができる。
【００３４】
(21)この発明に係るコンテンツ提供システムは、権利認証手段は、以下のA)またはB)によって再生の許可・不許可を行うことを特徴とするシステム、装置またはプログラム。A)再生指示の対象である再生装置用コンテンツに対応する権利データがあると判断した場合には再生手段に再生許可信号を与えることによって再生を許可し、前記権利データがないと判断した場合には再生不許可信号を与えるか、再生許可信号を与えないことによって再生を許可しない。B)再生指示の対象である再生装置用コンテンツに対応する権利データがあると判断した場合には再生手段に再生許可信号を与えるか、再生不許可信号を与えないことによって再生を許可し、前記権利データがないと判断した場合には再生不許可信号を与えることによって再生を許可しない。
【００３５】
(22)この発明に係るコンテンツ提供システムは、権利データは、暗号化された再生装置用コンテンツを復号化するためのキーであり、権利認証手段は、再生指示の対象である再生装置用コンテンツのキーが存在すれば、当該キーを再生手段に与えることによって復号化された再生装置用コンテンツの再生を許可し、再生指示の対象である再生装置用コンテンツのキーが存在しなければ、当該キーを再生手段に与えないことによって復号化された再生装置用コンテンツの再生を許可しないことを特徴としている。
【００３６】
したがって、再生する権利がない場合には復号化キーを与えないことにより、実質的にコンテンツの再生を許可しないようにすることができる。
【００３７】
(23)この発明に係るコンテンツ提供システムは、権利証明装置は、非接触式ＩＣカード、携帯電話、ＰＤＡのいずれかであることを特徴としている。
【００３８】
(24)この発明に係るコンテンツ提供システムは、再生装置は、ビデオ再生装置、ハードディスクレコーダ、ＤＶＤ再生装置、テレビ受信装置、ステレオ装置、携帯型音楽再生装置、パソコン、カーナビ、家庭用ゲーム機のいずれかであることを特徴としている。
【００３９】
(25)この発明に係るコンテンツ提供システムは、再生装置は、再生装置本体と近距離通信装置とを備えており、前記再生装置本体は、再生装置用コンテンツを記録するためのコンテンツ記録部にアクセスする手段と、権利認証手段によって権利データの存在が確認された再生装置用コンテンツを再生する再生手段とを備え、前記近距離通信装置は、権利証明装置と近距離通信を行うための近距離通信部を備えたことを特徴としている。
【００４０】
したがって、再生装置本体が通信機能を有さない場合であっても、本発明を適用することができる。
【００４１】
(26)この発明に係るコンテンツ提供システムは、再生装置本体は、近距離通信部によって権利証明装置と通信し、広域通信可能な権利証明装置を介して、サーバ装置から再生装置用コンテンツを取得することを特徴としている。
【００４２】
(27)この発明に係るコンテンツ提供システムは、再生装置は、近距離通信装置と、各々が当該近距離通信装置に通信可能に接続された複数の再生機器とを備えて構成され、前記近距離通信装置に近距離通信部および権利認証手段が設けられていることを特徴としている。
【００４３】
したがって、近距離通信装置によって、複数の再生機器の権利認証を行うことができる。
【００４４】
(28)この発明に係るコンテンツ提供システムは、権利証明装置および再生装置の前記近距離通信部は、無線または有線通信を行うことを特徴としている。
【００４５】
(29)この発明にかかるコンテンツ提供システムは、再生装置は、再生装置用コンテンツ再生の中断指令を受けるとコンテンツの中断位置を権利証明装置に送信する手段を備え、権利証明装置は、受信した中断位置を記録部に記録する手段を備えており、権利証明装置は、再生装置用コンテンツの再生指令を再生装置に送信する際に、当該再生装置用コンテンツに対応して記録されている中断位置を併せて送信し、再生装置は、再生指令と共に送られてくる中断位置から当該再生装置用コンテンツの再生を開始する手段を備えていることを特徴としている。
【００４６】
したがって、途中で再生を中断したコンテンツを、他の再生装置においても、その続きから再生することができる。
【００４７】
この発明において「携帯再生装置」とは、可搬性のあるコンテンツ再生可能な装置をいい、携帯電話装置、携帯テレビ、携帯音楽プレイヤー、ＰＤＡなどを含む概念である。
【００４８】
「再生装置」とは、コンテンツ再生可能な装置をいい、ビデオ再生装置、ハードディスクレコーダ、ＤＶＤ再生装置、テレビ受信装置、ステレオ装置、携帯型音楽再生装置、パソコン、カーナビ、家庭用ゲーム機を含む概念である。また、近距離通信装置と再生機器との組み合わせも、再生装置に含まれる概念である。
【００４９】
「コンテンツ」とは、画像、音楽、音声、電子ブックなどの電子データをいう。
【００５０】
「広域通信」とは、インターネット、公衆回線網、広域無線通信などをいう。
【００５１】
「近距離通信」とは、赤外線通信、電磁結合通信、ブルーツース（商標）など、同一建物内程度の近距離で通信可能な無線通信や有線通信などをいう。図２５のインターフェイス５０２によって、可搬性記録媒体５００と権利認証手段６８が行う通信も、近距離通信の概念に含む。
【００５２】
「通信部」とは、上記の広域通信や近距離通信などの通信を行うものをいう。
【００５３】
「権利状況を示すデータ」とは、権利データそのものだけでなく、権利データに基づいて生成されたデータも含む概念である。
【００５４】
「権利証明装置」とは、権利データもしくは権利の有無を示すデータを記録する装置をいう。第２の実施形態における権利証明装置７やアクセスポイント２００だけでなく、第１の実施形態における携帯再生装置６も含む概念である。
【００５５】
「要求手段」は、実施形態ではステップＳ１２に対応する。
【００５６】
「取得手段」は、実施形態ではステップＳ１３が対応する。
【００５７】
「権利状況送信手段」は、実施形態ではステップＳ１８が対応する。
【００５８】
「再生手段」は、実施形態ではステップＳ３７が対応する。
【００５９】
「再生指示取得手段」は、再生装置に設けられた再生ボタンなどからの再生指示を受け取るものだけでなく、権利証明装置から送信されてきた再生指示を受け取るものも含む概念である。
【００６０】
「権利認証手段」は、実施形態ではステップＳ３２が対応する。なお、権利認証手段による再生の許可は、再生手段に対して許可信号を伝えこれに応じて再生手段が再生を開始する場合だけでなく、再生手段に対して暗号化された再生装置用コンテンツの復号化キーを与えることにより再生を許可するような場合も含む。
【００６１】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００６２】
【図１】この発明の一実施形態によるコンテンツ提供システムの全体構成図である。
【図２】携帯再生装置４のハードウエア構成を示す図である。
【図３】再生装置６のハードウエア構成を示す図である。
【図４】サーバ装置２のハードウエア構成を示す図である。
【図５ａ】各装置の制御プログラムのフローチャートである。
【図５ｂ】各装置の制御プログラムのフローチャートである。
【図５ｃ】各装置の制御プログラムのフローチャートである。
【図５ｄ】各装置の制御プログラムのフローチャートである。
【図６】コンテンツテーブルを示す図である。
【図７】購入画面を示す図である。
【図８】権利データの構造を示す図である。
【図９】携帯再生装置４の機能選択画面を示す図である。
【図１０】携帯再生装置４のコンテンツ一覧画面を示す図である。
【図１１】コンテンツ購入提案画面を示す図である。
【図１２】他の実施形態を示す図である。
【図１３】権利データを可搬性記録媒体５５０に記録する場合の、形態再生装置４の例を示す図である。
【図１４】図１３のシステムにおける権利データを記録する処理部分のフローチャートである。
【図１５】図１３のシステムにおける権利データを読み出す処理部分のフローチャートである。
【図１６】権利データおよび個体識別番号の例を示す図である。
【図１７】途中再生を可能としたシステムの処理フローチャートである。
【図１８】途中再生を可能としたシステムの処理フローチャートである。
【図１９ａ】広域通信機能のないカーナビゲーション装置において、本発明を適用した場合のシステム構成図である。
【図１９ｂ】広域通信機能のないカーナビゲーション装置において、本発明を適用した場合のシステム構成図である。
【図１９ｃ】広域通信機能のないオーディオ機器において、本発明を適用した場合のシステム構成図である。
【図１９ｄ】広域通信機能のないオーディオ機器において、本発明を適用した場合のシステム構成図である。
【図２０】第２の実施形態によるコンテンツ提供システムの全体構成図である。
【図２１ａ】権利証明装置７のハードウエア構成を示す図である。
【図２１ｂ】書き換え装置５のハードウエア構成を示す図である。
【図２２ａ】各装置の制御プログラムのフローチャートである。
【図２２ｂ】各装置の制御プログラムのフローチャートである。
【図２３】アクセスポイント２００に複数の再生機器が接続されたシステムにおける適用例である。
【図２４】再生装置用コンテンツを記録媒体に記録して配布する場合のシステム構成図である。
【図２５】可搬性記録媒体５００と再生装置２３０とが直接接続される場合のシステム構築例である。
【図２６】他の実施形態によるコンテンツ提供システムを示す図である。
【発明を実施するための形態】
【００６３】
一．第１の実施形態
１．システムの全体構成
図１に、この発明の一実施形態によるコンテンツ提供システムの構成を示す。このシステムは、サーバ装置２、携帯再生装置４、再生装置６を備えている。サーバ装置２と携帯再生装置４は、広域通信部２４、４０を備えており、インターネットなどの広域通信網を介して通信を行う。再生装置６にも、広域通信部６０が設けられており、サーバ装置２との間で、インターネットなどの広域通信網を介して通信を行う。
【００６４】
携帯再生装置４の要求手段４２は、コンテンツの購入要求を広域通信部４０を介して権利発行装置であるサーバ装置２に送信する。これを受けたサーバ装置２の対携帯送出手段２０は、携帯用コンテンツおよび権利データを携帯再生装置４に送信する。携帯再生装置４の取得手段４４は、広域通信部４０を介してこの携帯用コンテンツ・権利データを受信し、それぞれ、コンテンツ記録部５２、権利記録部５０に記録する。
【００６５】
携帯再生装置４は、再生手段５４によって、コンテンツ記録部５２に記録されている携帯用コンテンツを再生する。これにより、ユーザは、購入したコンテンツを携帯再生装置で閲覧することができる。
【００６６】
一方、再生装置６に対し、サーバ装置２の対再生装置送出手段２２は、再生装置用コンテンツを送信する。再生装置６の取得手段６２は、広域通信部６０を介してこれを受信し、コンテンツ記録部６４に記録する。
【００６７】
携帯再生装置４と再生装置６とが近距離通信部５６、７２によって通信を確立すると、携帯再生装置４の権利状況送信手段４８は、権利記録部５０に記録されている権利データに基づく権利状況データを再生装置６に送信する。
【００６８】
再生装置６の再生指示取得手段６６は、再生装置用コンテンツについてのユーザからの再生指示を受け取る。権利認証手段６８は、携帯再生装置４から送信されてきた権利状況データに基づいて、再生指示がなされたコンテンツの権利があるかどうかを判断する。権利があると判断すれば、再生手段７０によって、コンテンツ記録部６４に記録されている再生装置用コンテンツを再生する。権利がないと判断すれば、再生を許可しない。
【００６９】
上記のようにして、携帯再生装置４においては購入したコンテンツの携帯版を再生することができ、再生装置６においては権利を有する携帯再生装置４が近距離通信の可能な範囲内にあることを条件に再生装置用コンテンツを再生することができる。
【００７０】
上記実施形態では、有償で権利データを購入するようにしているが、有償・無償にかかわらず、権利データを取得するようにできる。以下、権利データを購入する場合について説明するが、有償・無償にかかわらず、権利データを取得する場合一般に適用することができる。
【００７１】
２．ハードウエア構成
2.1携帯再生装置のハードウエア構成
図２に、携帯再生装置である携帯電話４のハードウエア構成を示す。ＣＰＵ４１には、ディスプレイ４７、スピーカ４９、広域通信回路４０、近距離通信回路５６、メモリ４３、操作部４５が接続されている。なお、通話のための回路などは省略している。
【００７２】
ディスプレイ４７は、携帯用コンテンツを表示したり、操作画面を表示したりするものである。スピーカ４９は、携帯用コンテンツを音として出力したり、操作音を出力したりするものである。
【００７３】
メモリ４３は、たとえば、不揮発性の書換可能な記憶回路（Ｐ−ＲＯＭなど）によって構成されている。メモリ４３には、オペレーティングシステム（TRON(商標）など）５１、制御プログラム５３が記録されている。制御プログラム５３は、ＯＳ５１と協働してその機能を発揮する。ＯＳ５１を用意せず、制御プログラム５３単独で、その機能を実現するようにしてもよい。
【００７４】
操作部４５は、コンテンツの権利購入（権利取得）、コンテンツの選択、再生指示などの操作を行うためのカーソルキー、数字・文字キーなどである。
【００７５】
2.2再生装置のハードウエア構成
図３に、再生装置６のハードウエア構成を示す。ＣＰＵ６１には、ディスプレイ６９、スピーカ７１、広域通信回路６０、近距離通信回路７２、ハードディスク６３、操作部６５、メモリ６７が接続されている。
【００７６】
ディスプレイ６９は、再生装置用コンテンツを表示したり、操作画面を表示したりするものである。スピーカ７１は、再生装置用コンテンツを音として出力したり、操作音を出力したりするものである。
【００７７】
ハードディスク６３には、オペレーティングシステム（WINDOWS(商標）など）７３、制御プログラム７５が記録されている。制御プログラム７５は、ＯＳ７３と協働してその機能を発揮する。ＯＳ７３を用意せず、制御プログラム７５単独で、その機能を実現するようにしてもよい。
【００７８】
操作部６５は、コンテンツの選択、再生指示などの操作を行うためのカーソルキー、数字・文字キーなどである。
【００７９】
メモリ６７は、揮発性メモリなどで構成され、ＣＰＵ６１のワークエリア、権利状況データの一時的な記憶などに用いられる。
【００８０】
2.3サーバ装置のハードウエア構成
図４に、サーバ装置２のハードウエア構成を示す。ＣＰＵ２１には、ハードディスク２３、広域通信回路２４が接続されている。
【００８１】
ハードディスク２３には、オペレーティングシステム（WINDOWS(商標）など）２５、制御プログラム２７が記録されている。制御プログラム２７は、ＯＳ２５と協働してその機能を発揮する。ＯＳ２５を用意せず、制御プログラム２７単独で、その機能を実現するようにしてもよい。
【００８２】
さらに、ハードディスク２３には、携帯用コンテンツ２９、再生装置用コンテンツ３１、権利管理データ３３が記録される。権利管理データ３３は、各ユーザ毎に、購入したコンテンツの権利状況を示すデータである。
【００８３】
３．コンテンツ提供処理
図５ａ〜図５ｄに、サーバ装置２のハードディスク２３に記録された制御プログラム２７、携帯再生装置４のメモリ４３に記録された制御プログラム５３、再生装置６のハードディスク６３に記録された制御プログラム７５のフローチャートを示す。
【００８４】
サーバ装置２のハードディスク２３には、複数のコンテンツが記録されている。各コンテンツは、携帯用コンテンツ２９と再生装置用コンテンツ３１の組によって構成されている。組になっている携帯用コンテンツ２９と再生装置用コンテンツは同じ内容のコンテンツであるが、前者が携帯再生装置用の低精度（画面サイズが小さい、画素が粗いなど）のコンテンツであるのに対し、後者が再生装置用の高精度（画面サイズが大きい、画素が細かいなど）のコンテンツである点において異なる。ハードディスク２３には、図６に示すように、コンテンツ識別子、携帯用コンテンツのファイル名、再生装置用コンテンツのファイル名を記述したコンテンツテーブルが記録されている。なお、図においては省略しているが、コンテンツテーブルには、コンテンツのタイトル、購入価格などが記述されている。
【００８５】
なお、以下の処理において、サーバ装置２、携帯再生装置４、再生装置６の間の通信は暗号化して行われる。また、以下の処理説明において、ユーザの操作である旨を明示したもの以外については、サーバ装置４のＣＰＵ２１、携帯再生装置４のＣＰＵ４１、再生装置６のＣＰＵ６１が制御プログラムにしたがって行う処理である。
【００８６】
ユーザがコンテンツの購入を行う際には、携帯再生装置４の操作部４５を操作し、ユーザＩＤ、パスワードなどを入力してサーバ装置２にアクセスする（ステップＳ１１）。携帯再生装置４は、自らのアドレスを付して、アクセス要求をサーバ装置２に送信する。これを受けて、サーバ装置２は、図６のコンテンツテーブルを参照して、図７に示すような購入画面を生成して携帯再生装置４に送信する（ステップＳ１）。この際、サーバ装置２は、各コンテンツのコンテンツ識別子も送信する。
【００８７】
携帯再生装置４は、これをディスプレイ４７に表示する。ユーザは、操作部４５を操作して、購入を希望するコンテンツを選択し、購入ボタンをクリックする。これにより、サーバ装置２に対して、選択されたコンテンツの購入要求が送信される（ステップＳ１２）。この購入要求には、選択されたコンテンツのコンテンツ識別子も含めて送信される。
【００８８】
サーバ装置２では、コンテンツ識別子を含む購入要求を受けて、決済処理を行う。たとえば、ユーザＩＤに対応して予め登録されている銀行やクレジットの管理サーバと通信して、コンテンツ識別子に対応する購入価格を決済する。
【００８９】
サーバ装置２のハードディスク２３には、各ユーザごとに権利フォルダが設けられ、当該フォルダの中に、全てのコンテンツの権利データが記録されている。サーバ装置２は、当該ユーザの権利フォルダに記録されている購入されたコンテンツの権利データにつき、そのフラグを「未購入状態」から「購入状態」にする（ステップＳ２）。
【００９０】
権利データのデータ構造を図８に示す。権利ステータスの購入／未購入フラグを「購入」にすることによって、権利がある状態となる。権利ステータスにおいては、権利入手日、有効期限などが記述される。
【００９１】
サーバ装置２は、当該ユーザの権利フォルダ中の全ての権利データを携帯再生装置４に送信する（ステップＳ２）。携帯再生装置４は、メモリ４３に受信した権利データを記録する（ステップＳ１３）。この権利データは、携帯再生装置４の電源をオフにしても保存される。なお、サーバ装置２は、全ての権利データを送信せず、購入されたコンテンツの権利データだけを送信するようにしてもよい。
【００９２】
続いて、携帯再生装置４は、購入したコンテンツのコンテンツ識別子をサーバ装置２に送信し、携帯用コンテンツのダウンロードを要求する（ステップＳ１４）。これを受けて、サーバ装置２は、携帯用コンテンツを携帯再生装置４に送信する（ステップＳ３）。なお、携帯再生装置４において既に、携帯用コンテンツが記録されている場合には、携帯再生装置4はこのダウンロード要求を行わないようにしてもよい。
【００９３】
携帯再生装置４は、受信した携帯用コンテンツをメモリ４３に記録する（ステップＳ１５）。ユーザは、操作部４５を操作することにより、携帯用コンテンツを再生することができる（ステップＳ１６）。この際、携帯再生装置４は、ユーザからのコンテンツの再生指示を受けて、当該コンテンツの権利がある場合にのみ再生を許可する。
【００９４】
次に、購入したコンテンツを再生装置６にて再生する場合の処理について説明する。まず、ユーザは、携帯再生装置４を持って再生装置６の近傍（近距離通信が可能な程度）に近づき、操作部４５を操作して再生装置６との通信を開始する（ステップＳ１７）。この通信開始は、具体的には、図９の画面に示すように、リモコンモードを選択することによって行われる。
【００９５】
なお、携帯再生装置４の近くに再生装置６がない場合には、近距離通信ができず通信は確立されない。
【００９６】
通信が確立すると、携帯再生装置４は、メモリ４３に記録されている全ての権利データを再生装置６に送信する（ステップＳ１８）。再生装置６は、これを受信してメモリ６７に記憶する（ステップＳ３１）。
【００９７】
携帯再生装置４は、記録している権利データに基づいて、コンテンツの一覧をディスプレイ４７に表示する（ステップＳ１９）。この際、携帯再生装置４は、権利があるコンテンツ（フラグが「購入」になっているもの）と、権利がないコンテンツ（フラグが「未購入」になっているもの）を区別して表示する。たとえば、図１０に示すように、権利があるコンテンツについては、これを区別する表示９０を付して表示する。
【００９８】
ユーザは、操作部４５を操作して画面に表示されたコンテンツを選択する。これにより、携帯再生装置４は、選択されたコンテンツのコンテンツ識別子を明示した再生指示を、再生装置６に送信する（ステップＳ２０）。
【００９９】
再生装置６は、メモリ４３に記録されている権利データを参照し、再生指示がなされたコンテンツの権利があるかどうか、つまり、当該コンテンツの権利データのフラグが「購入」になっているかどうかを判断する（ステップＳ３２）。権利がないと判断した場合には、権利購入（取得）提案処理（ステップＳ３３）を実行する。
【０１００】
再生装置６は、権利があると判断した場合には、再生指示がなされたコンテンツの再生装置用コンテンツが、ハードディスク６３に記録されているか否かを判断する（ステップＳ３４）。既に、再生装置用コンテンツが再生装置６に記録されていれば、再生装置用コンテンツの再生を行う（ステップＳ３７）。なお、再生装置用コンテンツの再生は、再生のためのプログラムや回路によって実行される。
【０１０１】
また、再生装置用コンテンツが記録されていない場合には、サーバ装置４に対して当該コンテンツのダウンロード要求を行い（ステップＳ３５）、ダウンロードしてハードディスク６３に記録する（ステップＳ４、Ｓ３６）。その後、再生装置用コンテンツの再生を行う（ステップＳ３７）。
【０１０２】
再生が終了すると、再生装置６は、携帯再生装置４との通信が終了したかどうかを判断する（ステップＳ３８）。通信の終了は、たとえば、携帯再生装置４から通信終了の旨を受信したこと、再生装置６から近距離通信によって携帯再生装置４を呼び出しても返答がない場合（携帯再生装置４が再生装置６から離れた、リモコンモードを解除したなどの場合）などによって判断することができる。
【０１０３】
通信終了を判断すると、再生装置６は、メモリ６７に一時的に記憶していた権利データを消去する（ステップＳ３９）。
【０１０４】
このように、再生装置６の近傍に権利を有する携帯再生装置４がないと、コンテンツが再生できないようになっている。したがって、不正にコンテンツが複製されたとしても、権利を有する者でないと再生ができない。
【０１０５】
また、コンテンツについて権利を記録した携帯再生装置４を有していれば、他人が当該コンテンツをダウンロードした再生装置６においても、近距離通信によって権利を認証して再生を行うことができる。つまり、権利を記録した携帯再生装置４を有する者であれば、他人がダウンロードした他人の再生装置６においても、再生装置用コンテンツを再生することができる。
【０１０６】
次に、ステップＳ３２において、再生指示がなされたコンテンツの権利を有していない場合に行われる「権利購入提案処理」について説明する。図５ｄに、権利購入提案処理のフローチャートを示す。
【０１０７】
再生装置６は、権利データを参照し、再生指示がなされたコンテンツの権利が無いと判断すると、当該コンテンツのコンテンツ識別子を含む購入案内要求を携帯再生装置４に送信する（ステップＳ７１）。これを受けた携帯再生装置４は、サーバ装置２に転送する（ステップＳ６１）。サーバ装置２は、購入案内要求を受けて、コンテンツ識別子によってコンテンツを特定し、当該コンテンツの購入案内画面を生成して送信する（ステップＳ５１）。
【０１０８】
携帯再生装置４は、受信した購入案内画面をディスプレイ４７に表示する（ステップＳ６２）。画面例を、図１１に示す。携帯再生装置４は、購入案内画面を再生装置６に転送する。したがって、再生装置６においても、購入案内画面が表示される（ステップＳ７２）。
【０１０９】
ユーザが、操作部４５を操作して購入ボタンをクリックすると、携帯再生装置４は、コンテンツ識別子を含む購入要求をサーバ装置２に送信する（ステップＳ６３）。これにより、ステップＳ２、Ｓ１３、Ｓ１４、Ｓ３、Ｓ１５において説明した処理と同様の権利の購入処理が行われる（ステップＳ５２、Ｓ６４、Ｓ６５、Ｓ５３、Ｓ６６）。
【０１１０】
このように、権利の購入が行われ、再生指示がなされたコンテンツの再生が行われる（ステップＳ３４以下）。
【０１１１】
４．その他の実施形態
4.1コンテンツのダウンロードについて
上記実施形態では、権利購入時に自動的に携帯用コンテンツをサーバ装置２からダウンロードするようにしているが、ユーザの操作によって携帯用コンテンツをダウンロードするようにしてもよい。
【０１１２】
また、権利購入時に、自動的に再生装置６に対して再生装置用コンテンツをダウンロードするようにしてもよい。この場合、図１２Ａに示すように処理をすることができる。なお、携帯再生装置４と再生装置６との間は近距離通信、携帯再生装置４とサーバ装置２との間、再生装置６とサーバ装置２との間は広域通信で行う。
【０１１３】
携帯再生装置４がサーバ装置２に購入要求を送信する。これとともに、携帯再生装置４は当該購入要求（少なくとも、購入要求を行ったコンテンツ識別子が含まれていればよい）を再生装置６にも送信する。再生装置６は、自らのアドレスを付して、この購入要求をサーバ装置２に転送する。サーバ装置２は、携帯再生装置４および再生装置６からの購入要求（あるいはいずれか一方からの購入要求）を受けて、決済処理を行う。続いて、サーバ装置２は、携帯再生装置４に携帯用コンテンツをダウンロードし、再生装置６に再生装置用コンテンツをダウンロードする。
【０１１４】
また、図１２Ｂに示すような処理を行ってもよい。ユーザは、携帯再生装置４を操作して購入要求をサーバ装置２に送信する際に、再生装置用コンテンツをダウンロードすべき再生装置６のアドレスを指定する。なお、再生装置６のアドレスは予め携帯再生装置４に記憶しておいてもよいが、携帯再生装置４が近距離通信によって探し出すようにしてもよい。
【０１１５】
つまり、携帯再生装置４は、購入要求を送信する際に近距離通信によって再生装置が存在しないかどうかを問い合わせる質問を送信する。近距離通信の可能な範囲内に再生装置６が存在しなければ、再生装置６からの返答を受けることはできない。再生装置６からの返答がなければ、携帯再生装置４は、購入要求のみをサーバ装置２に送信する。
【０１１６】
一方、近距離通信の可能な範囲内に再生装置６が存在すれば、再生装置６からの返答を受けることができる。再生装置６からの返答があれば、携帯再生装置４は、再生装置６からそのアドレスを取得し、当該アドレスを付して購入要求をサーバ装置２に送信する。
【０１１７】
これを受けたサーバ装置２は、携帯再生装置４に携帯用コンテンツをダウンロードし、再生装置６に再生装置用コンテンツをダウンロードする。
【０１１８】
なお、上記実施形態では、再生装置６への再生装置用コンテンツのダウンロードや携帯再生装置４への携帯用コンテンツのダウンロードを、購入要求に関連づけて自動的に行う場合について説明した。しかし、コンテンツ購入の前後を問わず、ユーザによって携帯再生装置４や再生装置６を操作することにより、
任意にダウンロードを行うようにしてもよい。この実施形態では、携帯再生装置４に権利を記録しなければコンテンツの再生ができないので、権利購入前にコンテンツだけをダウンロードしても問題は生じない。また、権利がない状態（携帯再生装置に権利を購入していない、あるいは、再生装置の近傍に権利を記録した携帯再生装置がない状態）でコンテンツを再生しようとした場合には、完全に再生を禁止するか、あるいは、一部だけの再生（プレビュー）を許可するようにする。
【０１１９】
上記実施形態では、再生装置６は再生装置用コンテンツをサーバ装置２からダウンロードすることによって得ている。しかし、再生装置６は、ＣＤ−ＲＯＭなどの可搬性記録媒体によって再生装置用コンテンツを取得するようにしてもよい。
【０１２０】
なお、上記実施形態では、再生装置６に記録した再生装置用コンテンツを再生するようにしている。しかし、ストリーミングによってサーバ装置２から送信した再生装置用コンテンツを再生するようにしてもよい。
【０１２１】
上記実施形態では、コンテンツが画像データである場合について説明したが、音声データや文字データ等であってもよい。
【０１２２】
4.2権利データの送信について
上記実施形態では、全てのコンテンツの権利データをサーバ装置２から携帯再生装置４に送信している。しかしながら、購入済みのコンテンツの権利データのみを送信するようにしてもよい。また、携帯再生装置４から再生装置６に送信する権利データも、購入済みのコンテンツの権利データのみとしてもよい。この場合には、図１０のディスプレイ画面には、購入済みのコンテンツだけが表示されることになる。
【０１２３】
また、携帯再生装置４において誤って権利データを消去した場合や、携帯再生装置４を紛失した場合には、サーバ装置２にアクセスしてユーザ認証を行うことにより、再度、権利データをダウンロードできるようにしてもよい。
【０１２４】
4.3再生装置用コンテンツの再生指示について
上記実施形態では、携帯再生装置４から再生装置６に対して再生装置用コンテンツの再生指示を送信している。しかし、再生装置６の操作部から再生指示を与えるようにしてもよい。また、再生装置６のためのリモコン装置から再生指示を与えるようにしてもよい。
【０１２５】
上記実施形態では権利データそのものを携帯再生装置４から再生装置６に送信している。しかし、権利データそのものでなく権利データに基づいて生成した権利の有無を表すデータを送信するようにしてもよい。
【０１２６】
上記実施形態では、権利データに基づいて当該コンテンツについての権利があることを確認すると再生を許可するようにしている。しかし、再生装置用コンテンツを暗号化しておき、権利があることが確認できた場合にのみ再生プログラム(再生回路）に復号化キーを与えるようにして、再生を許可するようにしてもよい。
【０１２７】
4.4携帯再生装置
上記実施形態では、携帯再生装置４を用いて携帯用コンテンツを携帯再生装置４によって再生可能としている。しかし、サーバ装置２からは携帯用コンテンツを携帯再生装置にダウンロードしないようにしてもよい。この場合には、携帯再生装置４は、権利証明装置としての意味を持つことになる。
【０１２８】
4.5再生許可判断について
上記実施形態では、再生装置あるいは携帯再生装置は、再生指令の出されたコンテンツについて権利を有しているかどうかを判断し、権利を有していれば再生を許可するようにしている。つまり、権利データには当該コンテンツについての権利を有しているか否かを記録するようにしている。
【０１２９】
しかし、権利データ中に、再生が可能な再生装置（テレビ、カーナビゲーション装置、携帯装置など）、再生が可能な期間などを条件として記述しておき、当該条件に従って再生可能かどうかを判断するようにしてもよい。
【０１３０】
さらに、コンテンツの精度（ビットレートなど）、暗号化されているか否か、ユーザが特定の会の会員であるかどうかに応じて、無条件で再生を許可するか、権利を購入していなければ再生を許可しないか、その判断処理を変えるようにしてもよい。
【０１３１】
4.5権利データの可搬性
上記実施形態では、権利証明装置である携帯再生装置４の内部に権利記録部を設けている。このようにすることによって、当該携帯再生装置４を有している本人のみがコンテンツを再生できるようにしている。携帯再生装置４を他人に貸すことは日常的ではないので、これにより、コンテンツの不正な再生を防止することができる。しかし、その反面、携帯電話４の記録容量を超えた権利を購入できないという問題がある。
【０１３２】
図１３に示す実施形態では、上記の問題点を解決するため、ＳＤカード（商標）などの可搬性記録媒体５５０に、権利データを記録するようにしている。これにより、可搬性記録媒体５５０を差し替えることによって、より多くの権利データを蓄積することができるようになる。
【０１３３】
図１３において、インターフェイス５５は、可搬性記録媒体５５０をＣＰＵ４１に接続するためのものである。なお、可搬性記録媒体５５０に権利データをそのまま書き込むようにしても良いが、その場合には、可搬性記録媒体５５０さえ有していれば異なる携帯電話でも使用でき、不正な使用がなされる可能性がある。そこで、権利データを携帯再生装置４の個体識別番号によって暗号化して記録するようにしている。
【０１３４】
このような実施形態におけるコンテンツ購入の処理は、図５ａに示すフローチャートと基本的に同様である。ただし、図５ａのステップＳ１３（権利データ記録）の処理を、図１４に示すように変更している。まず、サーバ装置２から権利データが送られてくると、ＣＰＵ４１は、携帯再生装置４に与えられた（もしくはユーザに与えられた）個体識別番号を読み出す（ステップＳ１３ａ）。この個体識別番号は、ハードウエア的に記録されているか、あるいはメモリカードなどで携帯再生装置４に装着されたものに記録されているのが一般的である。
【０１３５】
次に、ＣＰＵ４１は、受信した権利データを、取得した個体識別番号に基づいて暗号化する。たとえば、図１６Ａに示すような権利データがサーバから送信れてきたとする。なお、ここでは、購入したコンテンツの権利データのみが送信されてくる場合を前提として例を示す。
【０１３６】
ＣＰＵ４１はこの権利データに対して、図１６Ｂに示す個体識別番号に基づいて可逆的な信号化を施し、図１６Ｃのような暗号化権利データを得る（ステップＳ１３ｂ）。暗号化のアルゴリズムは、周知の手法を用いることができる。なお、図１６Ｃの例では、権利データ中のタイトル部分（「エブリシング」の部分）については暗号化せず、コンテンツ符号の部分（「３１５２４１」の部分）についてのみ暗号化を行うようにしている。しかし、タイトル部分も含めて暗号化を行うようにしてもよい。
【０１３７】
ＣＰＵ４１は、暗号化した権利データを可搬性記録媒体５５０に記録する（ステップＳ１３ｃ）。
【０１３８】
このようにして可搬性記録媒体５５０に記録した権利データに基づいて、コンテンツを再生する場合の処理は、図５ｂに示すフローチャートと基本的に同様である。ただし、ステップＳ１８（権利データの送信）の処理内容が、図１５に示すように異なっている。
【０１３９】
ＣＰＵ４１は、再生装置６との通信が確立すると、可搬性記録媒体５５０から暗号化された権利データを読み出す（ステップＳ１８ａ）。なお、複数の権利データが記録されている場合には、全ての権利データを読み出す。次に、ＣＰＵ４１は、携帯再生装置４の個体識別番号を読み出す（ステップＳ１８ｂ）。続いて、暗号化された権利データを、個体識別番号によって復号化する（ステップＳ１８ｃ）。さらに、ＣＰＵ４１は、復号化した権利データを、再生装置６に送信する（ステップＳ１８ｄ）。
【０１４０】
この実施形態によれば、権利を購入した際に用いた携帯再生装置４と異なる携帯再生装置を用いて再生装置６におけるコンテンツ再生を行おうとすると、個体識別番号が異なるため正しい権利データが復元できない。したがって、不正なコンテンツ再生を防止することができる。
【０１４１】
なお、上記実施形態では、権利データを個体識別番号にて暗号化して、可搬性記録媒体５０に記録するようにしている。しかし、権利データと個体識別番号を組み合わせたデータを可搬性記録媒体５０に記録するようにしてもよい。この場合も、個体識別番号が合致しなければ、正しい権利データではないと判定することにより不正な再生を防止することができる。
【０１４２】
4.6途中再生
図１７、図１８に、再生装置６によるコンテンツの再生位置を記録しておき、同一または異なる再生装置において、当該コンテンツの続きから再生することのできるシステムのフローチャートを示す。本実施形態によれば、権利データを有する者だけがコンテンツを再生できるようにして不正を防止できるとともに、権利データさえ有していれば、異なる再生装置においてもコンテンツの続きを再生できるシステムを構築できる。
【０１４３】
まず、ユーザは、携帯再生装置４を持って再生装置６の近傍（近距離通信が可能な程度）に近づき、操作部４５を操作して再生装置６との通信を開始する（ステップＳ８１）。この通信開始は、具体的には、図９の画面に示すように、リモコンモードを選択することによって行われる。あるいは、携帯再生装置４を再生装置６に近づけることによって自動的に近距離通信が開始されるようにしてもよい。
【０１４４】
次に、携帯再生装置４のＣＰＵ４１は、記録している権利データを読み出して、コンテンツ一覧をディスプレイ４７に表示する（ステップＳ８２）。ユーザが操作部４５を操作してコンテンツを選択すると（ステップＳ８３）、ＣＰＵ４１は、当該コンテンツについてメモリ４３に中断位置が記録されているか否かを判断する（ステップＳ８４）。ここでは、中断位置が記録されていないものとして説明を進める。
【０１４５】
ＣＰＵ４１は、選択されたコンテンツの再生指令を、近距離通信回路５６を介して再生装置６に送信する（ステップＳ８７）。これを受けた再生装置６のＣＰＵ６１は、当該コンテンツの権利存在確認を携帯再生装置４に送信する（ステップＳ９５）。なお、図１７においては明示されていないが、再生装置６による権利存在確認の要求は、当該コンテンツが再生されている間は、所定時間ごとに（たとえば５分おき、あるいはランダムな時間間隔で）なされる。したがって、携帯再生装置４が離れると、コンテンツの再生が停止されることになる。
【０１４６】
権利存在確認の要求を受けた携帯再生装置４のＣＰＵ４１は、当該コンテンツの権利データが、メモリ４３に記録されているか否かを判断する（ステップＳ８８）。権利データが存在すれば、再生許可信号を再生装置６に送信する（ステップＳ８９）。
【０１４７】
再生装置６は、再生許可信号を受けて、当該コンテンツの再生を行う（ステップＳ９６、Ｓ９７）。
【０１４８】
コンテンツ再生中に、ユーザが携帯再生装置４の操作部４５を操作してコンテンツ再生の中断を行ったとする。この再生中断指令は、再生装置６に送信される（ステップＳ９０）。これを受けた再生装置６は、コンテンツの再生を中断する（ステップＳ９８）。続いて、当該中断位置（たとえばコンテンツデータに含まれているコンテンツ開始からの経過時間など）を取得して、携帯再生装置４に送信する（ステップＳ９９）。携帯再生装置４のＣＰＵ４１は、中断位置を受信し、コンテンツＩＤなど対応付けて、これをメモリ４３に記録する。
【０１４９】
なお、ユーザが携帯再生装置４の操作部４５から再生中断を入力した場合だけでなく、携帯再生装置４が再生装置６から離れて近距離通信ができなくなった場合にも、上記の中断位置の記録を行うようにしてもよい。ただし、この場合には、コンテンツ再生中は、比較的短い時間間隔で（１０秒ごとなど）常に現在再生位置を再生装置６から携帯再生装置４に送っておく。そして、通信が途絶えた時点における最新の再生位置を中断位置として、携帯再生装置４に記録するようにすればよい。
【０１５０】
次に、再び、同じコンテンツを再生しようとする場合の処理を説明する。図１７のステップＳ８１からＳ８３までは、上述と同じ処理である。ステップＳ８４において、携帯再生装置４のＣＰＵ４１は、選択されたコンテンツについて、メモリ４３に中断位置が記録されているかどうかを判断する。
【０１５１】
中断位置が記録されていれば、これを読み出し、当該中断位置を再生開始位置として指定し、コンテンツ再生指令を送信する（ステップＳ８６、Ｓ８７）。これを受けた再生装置６は、当該再生開始位置からコンテンツの再生を開始する。なお、コンテンツの再生が最後まで行われた場合には、再生装置６は携帯再生装置４に対して、その旨を送信する。携帯再生装置４は、これを受けて、中断位置を消去する。
【０１５２】
上記のように、この実施形態によれば、途中まで視ていたコンテンツを中断部分から再生することができる。また、再生する再生装置６が変わっても、この機能をシームレスに実現することができる。
【０１５３】
4.7通信機能を持たない機器への対応
上記各実施形態では、近距離通信ないし広域通信を行うことのできる再生装置６を用いている。再生装置６自体に通信機能がない場合には、通信機能を外付けすれば上記各実施形態と同様の機能を実現することができる。
【０１５４】
図１９ａに、インターネットとの通信機能を持たないカーナビゲーション装置において、本発明を適用した場合のシステム構成を示す。カーナビゲーション装置２１０には、携帯電話接続用のアダプタ２２０を介して、携帯電話４（権利証明装置としての携帯再生装置）が接続されている。
【０１５５】
図１９ａのシステムの機能ブロック図を、図１９ｂに示す。図に示すように、カーナビゲーション装置２１０は、アダプタ２２０、携帯電話４を介して、サーバ装置２から再生装置用コンテンツを取得する。つまり、携帯電話４の取得手段４４がサーバ装置２から取得した再生装置用コンテンツを、カーナビゲーション装置２１０の取得手段６２が、アダプタ２２０を介して取得している。再生の際には、アダプタ２２０によって有線の近距離通信を行って、権利認証をする。
【０１５６】
図１９ｃに、赤外線通信機能（近距離通信）しか持たないオーディオ機器２３０（ステレオ装置など）に、本発明を適用した場合のシステム構成を示す。携帯電話４とオーディオ機器２３０は、赤外線通信によって通信可能である。
【０１５７】
図１９ｃのシステムの機能ブロック図を、図１９ｄに示す。図に示すように、オーディオ機器２３０は、携帯電話４を介してサーバ装置２から再生装置用コンテンツを取得する。つまり、携帯電話４の取得手段４４がサーバ装置２から取得した再生装置用コンテンツを、オーディオ機器２３０の取得手段６２が、近距離通信によって取得している。再生の際には、近距離通信によって権利認証を行う。
【０１５８】
4.8その他
上記実施形態では、携帯再生装置から再生装置に対して再生指示を与えるようにしている。しかし、再生装置に設けられた再生ボタンや再生装置に付属するリモコン装置などによって再生指示を与えるようにしてもよい。
【０１５９】
上記実施形態では、権利証明装置である携帯再生装置は、インターネットによってサーバ装置２と通信を行って権利データを取得するようにしている。しかし、ワンセグメント放送のようなデータ放送、メールなどによってサーバ装置から権利データを取得するようにしてもよい。
【０１６０】
また、上記実施形態では、権利発行装置としてのサーバ装置２から権利データを取得するようにしている。しかし、権利データを記録したＰＣを権利発行装置とし、近距離通信(トルカ（商標）など)によって権利データを取得するようにしてもよい。さらに、権利データを記録している他の権利証明装置を権利発行装置とし、広域通信経由（いわゆるＰ２Ｐ通信）にて、あるいは近距離通信にて権利データを取得するようにしてもよい。さらにまた、権利証明装置は、可搬性記録媒体を介して、権利データを取得するようにしてもよい。
【０１６１】
上記実施形態では、有料にて権利データを購入する場合について説明したが、無償で権利データを取得するようにしてもよい。
【０１６２】
二．第２の実施形態
１．システムの全体構成
図２０に、他の実施形態によるコンテンツ提供システムの全体構成を示す。このシステムは、サーバ装置２、書き換え装置５、権利証明装置７、再生装置６を備えている。権利証明装置７は、たとえば、非接触型ＩＣカード、非接触型ＩＣ（フェリカ（商標）など）を内蔵した携帯電話装置である。書き換え装置５は、権利証明装置７の権利記録部５０の内容を書き換えるものである。
【０１６３】
サーバ装置２は、広域通信部２４を備えており、インターネットなどの広域通信網を介して通信を行う。再生装置６にも、広域通信部６０が設けられており、サーバ装置２との間で、インターネットなどの広域通信網を介して通信を行う。
【０１６４】
権利証明装置７の取得手段４４は、書き換え装置５を介して、サーバ装置２の対証明装置送出手段２０からの権利データを受信する。権利証明装置７の取得手段４４は、受信した権利データを権利記録部５０に記録する。
【０１６５】
サーバ装置２の対再生装置送出手段２２は、再生装置６に対し、再生装置用コンテンツを送信する。再生装置６の取得手段６２は、広域通信部６０を介してこれを受信し、コンテンツ記録部６４に記録する。
【０１６６】
権利証明装置７と再生装置６とが近距離通信部５６、７２によって通信を確立すると、権利証明装置７の権利状況送信手段４８は、権利記録部５０に記録されている権利データに基づく権利状況データを再生装置６に送信する。
【０１６７】
再生装置６の再生指示取得手段６６は、再生装置用コンテンツについてのユーザからの再生指示を受け取る。権利認証手段６８は、権利証明装置７から送信されてきた権利状況データに基づいて、再生指示がなされたコンテンツの権利があるかどうかを判断する。権利があると判断すれば、再生手段７０によって、コンテンツ記録部６４に記録されている再生装置用コンテンツを再生する。権利がないと判断すれば、再生を許可しない。
【０１６８】
上記のようにして、権利を有する権利証明装置７が近距離通信の可能な範囲内にあることを条件に再生装置用コンテンツを再生することができる。
【０１６９】
２．ハードウエア構成
2.1権利証明装置７のハードウエア構成
図２１ａに、権利証明装置７のハードウエア構成を示す。ＣＰＵ４１には、メモリ４３、近距離通信回路５６が接続されている。アンテナ５７が設けられていて、書き換え装置５や再生装置６に近づくことによって、電磁結合によりこれら装置から電源の供給を受ける。また、このアンテナ５７は、近距離通信回路５６のアンテナとしても使用される。なお、このようなパッシブな回路ではなく、自ら電源を有するアクティブな回路構成としてもよい。
【０１７０】
メモリ４３には、制御プログラム（図示せず）が記録されている。また、メモリ４３には、権利データが記録される。
【０１７１】
2.2再生装置６、サーバ装置２、書き換え装置５のハードウエア構成
再生装置６、サーバ装置２のハードウエア構成は、第１の実施形態と同様である。ただし、再生装置６の近距離通信部７２は、権利証明装置５６のアンテナ５７と電磁結合して電力を供給する機能を有している。
【０１７２】
書き換え装置５のハードウエア構成を図２１ｂに示す。ＣＰＵ８０には、ハードディスク８２、広域通信回路８４、ディスプレイ８６、リーダ／ライタ８８、操作部９０が接続されている。ハードディスク８２には、制御のためのプログラムが記録されている。リーダ／ライタ８８は、パッシブなＩＣカードの書き換えを行うための一般的な回路（フェリカ（商標）のリーダライタなど）である。広域通信回路８４は、サーバ装置２と通信をするための回路である。
【０１７３】
３．コンテンツ提供処理
図２２ａに、コンテンツの権利を購入する処理のフローチャートを示す。権利証明装置７を書き換え装置５のリーダ／ライタ８８に近づけると、権利証明装置７に電力が供給され、通信が確立される（ステップＳ１２１、Ｓ１４１）。通信が確立されると、書き換え装置５は、サーバ装置２に対して購入画面の要求を行う（ステップＳ１２２）。この際、書き換え装置５は、権利証明装置７に記録されているユーザＩＤを読み出してサーバ装置２に送信する。これを受けて、サーバ装置２は購入画面を送信する（ステップＳ１０１）。この際、サーバ装置２は、各コンテンツのコンテンツ識別子も送信する。書き換え装置５は、ディスプレイ８６に購入画面（図７参照）を表示する。
【０１７４】
オペレータまたはユーザが、操作部９０を操作し、希望するコンテンツを選択する。これにより、書き換え装置５は、当該コンテンツの購入要求をサーバ装置２に送信する（ステップＳ１２３）。この購入要求には、選択されたコンテンツのコンテンツ識別子も含めて送信される。
【０１７５】
サーバ装置２では、コンテンツ識別子を含む購入要求を受けて、決済処理を行う。サーバ装置２のハードディスク２３には、各ユーザごとに権利フォルダが設けられ、当該フォルダの中に、全てのコンテンツの権利データが記録されている。サーバ装置２は、当該ユーザの権利フォルダに記録されている購入されたコンテンツの権利データにつき、そのフラグを「未購入状態」から「購入状態」にする（ステップＳ１０２）。権利データのデータ構造は図８と同様である。
【０１７６】
サーバ装置２は、当該ユーザの権利フォルダ中の全ての権利データを携帯再生装置４に送信する（ステップＳ１０２）。書き換え装置５は、受信した権利データを権利証明装置７に転送する（ステップＳ１２４）。権利証明装置７は、受信した権利データをメモリ４３に記録する（ステップＳ１４２）。なお、サーバ装置２は、全ての権利データを送信せず、購入されたコンテンツの権利データだけを送信するようにしてもよい。
【０１７７】
上記のようにして権利証明装置７に権利が記録される。購入したコンテンツを再生する場合には、再生装置６に権利証明装置７を近づけ、再生指令を与えればよい。
【０１７８】
図２２ｂに、コンテンツを再生する場合の処理フローチャートを示す。権利証明装置７を再生装置６に近づけると、通信が確立される（ステップＳ１２５、ステップＳ１４３）。通信が確立されると、権利証明装置７は、メモリ４３から権利データを読み出して再生装置６に送信する（ステップＳ１２６）。再生装置６は、これを受信してメモリ６７に記憶する（ステップＳ１４４）。続いて、再生装置６は、権利データに基づいてコンテンツの一覧をディスプレイ６９に表示する（ステップＳ１４５）。この表示画面は、図１０のようになる。
【０１７９】
ユーザは、再生装置６の操作部６５を操作してコンテンツを選択し、再生指令を入力する（ステップＳ１４６）。以後の処理は、図５ｂのステップＳ３２以下と同様にして行われ、コンテンツの再生がなされる。
【０１８０】
４．その他の実施形態
4.1無線ターミナルへの応用
図２３に、無線ＬＡＮのアクセスポイント２００（近距離通信装置）に権利認証手段を設けた例を示す。アクセスポイント２００は、ＰＣ２０２、テレビ２０４、オーディオ機器２０６などと無線ＬＡＮを構築するための親機である。この実施形態では、アクセスポイント２００に携帯電話（権利証明装置である携帯再生装置４）と通信するための近距離通信部７２（たとえばフェリカ（商標））を有しており、さらに、権利認証手段６８を有している。
【０１８１】
無線ＬＡＮによって接続されたＰＣ２０２、テレビ２０４、オーディオ機器２０６（これらを再生機器とする）のいずれかにおいてユーザがコンテンツの再生指令を与えると、このコンテンツに対する再生指令はアクセスポイント２００に送信される。そして、アクセスポイント２００の近距離通信部７２が携帯電話と通信し、権利データを取得する。権利認証手段６８は、再生指令がなされたコンテンツの権利データが、あるかどうかを判断して、再生の許可、不許可をＰＣ２０２、テレビ２０４またはオーディオ機器２０６に送信する。
【０１８２】
したがって、この実施形態によれば、各機器に近距離通信部７２や権利認証手段６８を設けなくとも、アクセスポイント２００において一括してこの処理を行うことができる。なお、この実施形態では、再生機器と近距離通信装置によって、再生装置が構成されていることとなる。
【０１８３】
4.2その他
第１の実施形態において説明した「その他の実施形態」は、第２の実施形態にも適用することができる。
【０１８４】
三．第３の実施形態
上記各実施形態では、再生装置用コンテンツを、インターネットなどを介して再生装置に記録するようにしている。しかし、ＣＤ−ＲＯＭなどの記録媒体に、コンテンツを暗号化して記録してこれを配布するようにしてもよい。この場合には、権利データは、当該コンテンツの暗号を解くためのキーを含むものとすればよい。
【０１８５】
具体的には、暗号化コンテンツの記録されたＣＤ−ＲＯＭなどを再生装置６にセットし、権利データの記録された権利証明装置（携帯電話など）４を近づけることで、認証を行いコンテンツを再生することができる。図２４に、このシステムの全体構成を示す。
【０１８６】
権利状況送信手段４８は、権利記録部に記録されている暗号キーを読み出して、オーディオ機器２３０に送信する。権利認証手段６８は、受け取った暗号キーを再生手段７０に渡す。再生手段７０は、ＣＤ−ＲＯＭ７１に記録された暗号化コンテンツを暗号キーによって復号して再生を行う。
【０１８７】
また、図２５に示すように、オーディオ機器２３０（その他の再生装置であってもよい）に、可搬性記録媒体の読み取りインターフェイス５０２を設けてもよい。ユーザは、携帯電話４などを用いてサーバ装置２から権利データを取得し、可搬性記録媒体５００に記録する。コンテンツ（暗号化されたコンテンツ）は、上記と同じようにして、ＣＤ−ＲＯＭ７１などの媒体にて購入する。
【０１８８】
再生時には、ＣＤ−ＲＯＭ７１をオーディオ機器２３０にセットし、インターフェイス５０２に、当該コンテンツに対応する権利データの記録された可搬性記録媒体５００を接続する。権利認証手段６８は、再生しようとしているコンテンツに対応する権利データ（暗号キー）を可搬性記録媒体から読み出す。そして、読み出した暗号キーを再生手段７０に渡す。再生手段７０は、ＣＤ−ＲＯＭ７１に記録された暗号化コンテンツを暗号キーによって復号して再生を行う。
【０１８９】
上記のようにして、コンテンツだけでは再生ができないようにしておき、権利データとセットになって初めて再生ができるようにすることにより、流通性と不正防止を両立させることができる。
【０１９０】
三．その他の実施形態
この発明によるコンテンツ提供装置の他の実施形態を図２６に示す。この例では、レストランなどの店舗Ａと店舗Ｂの各テーブルに再生装置であるＰＣが設置されている。各ＰＣは、それぞれの店舗のサーバ装置に接続されている。
【０１９１】
ユーザは携帯再生装置または権利証明装置を持ってレストラン店舗Ａに行き、ＰＣを介してサーバ装置との通信を行い、携帯再生装置または権利証明装置に第１の権利データを取得する。この実施形態では、無料で購入を行えるものとする。この第１の権利データにより、ユーザはＰＣあるいはサーバ装置に記録されている第１のコンテンツを、ＰＣの画面上で閲覧できる。
【０１９２】
次回、ユーザが携帯再生装置または権利証明装置を持ってレストラン店舗Ａに行くと、第２の権利データを取得する。この第２の権利データにより、ユーザはＰＣあるいはサーバ装置に記録されている第２のコンテンツを、ＰＣの画面上で閲覧できる。このように、店舗へ訪れた回数によって閲覧可能なコンテンツが変わっていく。
【０１９３】
次に、チェーン店である店舗Ｂを訪れると、第３の権利データを取得できる。これは、店舗Ａと店舗Ｂが同じシステムを採用しており、サーバ装置が携帯再生装置または権利証明装置に記録されている権利データを読み出して、第ｎ番目の権利データであるかを判断し、第ｎ＋１番目の権利データを与えるからである。このように、各店舗のサーバ装置をＬＡＮなどによって接続しなくとも、上記のような運用を行うことができる。
【図１】
2011216099.tif 000003
【図２】
2011216099.tif 000004
【図３】
2011216099.tif 000005
【図４】
2011216099.tif 000006
【図５ａ】
2011216099.tif 000007
【図５ｂ】
2011216099.tif 000008
【図５ｃ】
2011216099.tif 000009
【図５ｄ】
2011216099.tif 000010
【図６】
2011216099.tif 000011
【図７】
2011216099.tif 000012
【図８】
2011216099.tif 000013
【図９】
2011216099.tif 000014
【図１０】
2011216099.tif 000015
【図１１】
2011216099.tif 000016
【図１２】
2011216099.tif 000017
【図１３】
2011216099.tif 000018
【図１４】
2011216099.tif 000019
【図１５】
2011216099.tif 000020
【図１６】
2011216099.tif 000021
【図１７】
2011216099.tif 000022
【図１８】
2011216099.tif 000023
【図１９ａ】
2011216099.tif 000024
【図１９ｂ】
2011216099.tif 000025
【図１９ｃ】
2011216099.tif 000026
【図１９ｄ】
2011216099.tif 000027
【図２０】
2011216099.tif 000028
【図２１ａ】
2011216099.tif 000029
【図２１ｂ】
2011216099.tif 000030
【図２２ａ】
2011216099.tif 000031
【図２２ｂ】
2011216099.tif 000032
【図２３】
2011216099.tif 000033
【図２４】
2011216099.tif 000034
【図２５】
2011216099.tif 000035
【図２６】
2011216099.tif 000036
【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
携帯装置と再生装置とを備えたコンテンツ再生システムにおいて、
前記携帯装置は、
再生装置との通信を行うための近距離通信部と、
権利データを記録する権利記録部と、
権利記録部を参照し、近距離通信部によって、再生装置に対して権利状況を示すデータを送信する権利状況送信手段と、
を備え、
前記再生装置は、
携帯装置と近距離通信を行うための近距離通信部と、
操作指令を受ける操作指令取得手段と、
近距離通信部によって、再生装置からの権利状況を示すデータを受信し、権利を有するコンテンツについてのコンテンツ選択画面を生成する選択画面生成手段と、
権利状況データに基づいて、操作指令としての再生指示がなされた再生装置用コンテンツの再生が許可できると判断された場合に使用可能となる復号化キーを用いて、再生装置用コンテンツを復号化して再生する再生手段と、
再生装置用コンテンツ再生の中断指令を受けるとコンテンツの中断位置を記録するよう指令する中断位置記録指令手段と、
を備え、
前記再生手段は、再生指令を受けた際に、前記中断位置記録されていれば、当該中断位置から再生装置用コンテンツの再生を行うことを特徴とするコンテンツ再生システム。
【請求項２】
携帯装置と近距離通信を行うための近距離通信部と、
操作指令を受ける操作指令取得手段と、
近距離通信部によって再生装置から受信した権利状況を示すデータに基づき、権利を有するコンテンツについてのコンテンツ選択画面を生成する選択画面生成手段と、
権利状況データに基づいて、操作指令としての再生指示がなされた再生装置用コンテンツの再生が許可できると判断された場合に使用可能となる復号化キーを用いて、再生装置用コンテンツを復号化して再生する再生手段と、
再生装置用コンテンツ再生の中断指令を受けるとコンテンツの中断位置を記録するよう指令する中断位置記録指令手段と、
を備え、
前記再生手段は、再生指令を受けた際に、前記中断位置記録されていれば、当該中断位置から再生装置用コンテンツの再生を行うことを特徴とする再生装置。
【請求項３】
コンピュータによって再生装置を実現するためのプログラムであって、
操作指令を受ける操作指令取得手段と、
近距離通信部によって再生装置から受信した権利状況を示すデータに基づき、権利を有するコンテンツについてのコンテンツ選択画面を生成する選択画面生成手段と、
権利状況データに基づいて、操作指令としての再生指示がなされた再生装置用コンテンツの再生が許可できると判断された場合に使用可能となる復号化キーを用いて、再生装置用コンテンツを復号化して再生する再生手段と、
再生装置用コンテンツ再生の中断指令を受けるとコンテンツの中断位置を記録するよう指令する中断位置記録指令手段と、
をコンピュータによって実現するためのプログラムにおいて、
前記再生手段は、再生指令を受けた際に、前記中断位置記録されていれば、当該中断位置から再生装置用コンテンツの再生を行うことを特徴とするプログラム。
【請求項４】
請求項１〜３のシステム、装置またはプログラムにおいて、
前記携帯装置は、
近距離通信部によって、再生装置に対して操作指令を送信する操作指令送信手段をさらに備え、
前記再生装置の操作指令取得手段は、近距離通信部によって、携帯装置からの操作指令を受けるものであること、
を特徴とするもの。
【請求項５】
請求項１〜４のシステム、装置またはプログラムにおいて、
前記携帯装置は、
権利状況データに基づいて、操作指令としての再生指示がなされた再生装置用コンテンツの再生が許可できないと判断された場合には、当該再生装置用コンテンツの購入処理を実行する購入処理開始手段をさらに備えることを特徴とするもの。
【請求項６】
請求項１〜５のシステム、装置またはプログラムにおいて、
携帯装置および携帯装置は、非接触式ＩＣカード、携帯電話、ＰＤＡのいずれかであることを特徴とするもの。
【請求項７】
請求項１〜６のシステム、装置またはプログラムにおいて、
再生装置は、ビデオ再生装置、ハードディスクレコーダ、ＤＶＤ再生装置、テレビ受信装置、ステレオ装置、携帯型音楽再生装置、パソコン、カーナビ、家庭用ゲーム機のいずれかであることを特徴とするもの。